(57)【特許請求の範囲】
【請求項１】
ふきんとなる部分をベル型に裁断し、二枚重ねにしてそれをつなぎ合わせ、深い帽子様の立体的な袋状を形成することを特徴とするふきん。
【請求項２】
ふきんとなる部分をベル型に裁断し、二枚重ねにしてそれをつなぎ合わせ、深い帽子様の立体的な袋状を形成したベル型鐘体部において、頭頂部からバイアス状縁の袖部まで、芯になるようなものを設けていることを特徴とするふきん。
【請求項３】
ふきんとなる部分をベル型に裁断し、二枚重ねにしてそれをつなぎ合わせ、深い帽子様の立体的な袋状を形成したベル型鐘体部において、片面は水気を拭き取るための吸水性に富んだ綿等の生地材と、反対側の片面はガラス器や陶器等の食器類の磨き用に、繊維クズが出にくい麻や化繊等の生地材とで形成した２面が表裏をなして、用途に応じて裏返して使用することを特徴とするふきん。
【請求項４】
請求項２のふきんにおいて、片面が水気を拭き取るための吸水性に富んだ綿等の生地材と、反対側の片面はガラス器や陶器等の食器類の磨き用に、繊維クズが出にくい麻や化繊等の生地材とで形成した２面が表裏をなして、用途に応じて裏返して使用することを特徴とするふきん。
【請求項５】
請求項１又は２又は３又は４のふきんにおいて、頭頂部に吊り下げ用の輪を設けたことを特徴とするふきん。
【発明の詳細な説明】
【技術分野】
【０００１】  本発明は、通常拭きにくい細くて深い食器等も簡単に拭いたり磨いたりできるふきんに関するものである。
【背景技術】
【０００２】  従来の食器用ふきんは、形が平面的な一枚の正方形や長方形などの四角形であり、材質は様々だが、全体均一の材質で形成されている。
【先行技術文献】
【特許文献】
【０００３】
【特許文献１】特開２００２−２１９０９０号公報
【特許文献２】特開２００６−１５８９２１号公報
【発明の概要】
【発明が解決しようとする課題】
【０００４】  （イ）従来品の四角い布で食器を拭く場合は、たまたま最初に手の触れた箇所を掴んで食器を拭くため、拭き進むにつれ、乾いた面を探し出すのに手間がかかり、安定的に効率よく速く拭くことが難しかった。
（ロ）コップや水筒など細くて深さがあり手が届きにくい食器を拭く場合は、ふきんを底に届くまで押し込んで拭くため、時間がかかり煩わしかった。
（ハ）グラス等を磨く場合は、吸水性の良いふきんだと繊維クズが付着するので、ガラス磨き用に別にふきんを用意する必要があったため、煩わしさがあった。
（ニ）拭き終わったあとは通常ふきん掛けにかけて干しておくが、大抵四角い布を２つ折りにしてかけておくため、濡れているところが重なりやすく乾きにくかった。
本発明は、以上の問題点を解決するものである。
【課題を解決するための手段】
【０００５】  ふきんとなる部分をベル型に裁断し、二枚重ねにしてそれをつなぎ合わせ、深い帽子様の立体的な袋状を形成する。
ベル型鐘体部において、頭頂部からバイアス状縁の裾部まで、対向的な二方向に、数センチ幅のベルト状の芯材を内設する。
ベル型鐘体部は、片面（以下表面と呼ぶ）が水気を拭き取るための吸水性に富んだ綿等の生地材で形成され、反対側の面（以下裏面と呼ぶ）は、ガラス器や陶器等の食器類の汚れ取り用に、繊維クズが出にくい麻や化繊等の生地材で形成され、この両面が表裏をなして、用途に応じて裏返して使用される。
また、ベル型鐘体部はあたかもベルのように、頭頂部からバイアス状縁の裾部の少し手前までは、略垂直状になって絞られた形状をなし、裾部の手前から急に裾広がりのフリル状に形成される。頭頂部には吊り下げ用の輪を設ける。
以上を特徴とする、細くて深い食器等も簡単に拭いたり磨いたりできるふきんである。
【発明の効果】
【０００６】  （イ）「ふきんを掴む」という動作を無くすため、袋状のベル型鐘体部の中に片手を入れてふきんとして使用できるようにした。手を入れるだけなので脱着が容易であり、しかも使用面が濡れたら、ベル型鐘体部に入れた手の角度を少し変えるだけで、自動的に乾いた面が出てきて、安定的に効率よく早く拭けるようになる。また、ふきんの形状が鐘体部はあたかもベルのように、頭頂から裾部の少し手前までは略垂直状で、軽く絞られた形状になっているため、手に自由度を残しながら適度なフィット感があり、手をこの袋状の中で動かしても、ベル型鐘体部は手からズレることなく、本発明を安定的に恒常的に容易にコントロールすることができる。これによって手の動きが不自由な方も簡単に食器を拭くことができる。
（ロ）コップや水筒など細くて深さがあり手が届きにくい食器を拭く場合は、内接されたベルト状の芯材を持ち、芯材を容器の内側の側面に沿って底まで軽く差し込むだけで、難なく拭くことができる。
（ハ）鐘体部は、表面が水気を拭き取るための吸水性に富んだ綿等の生地材で形成され、裏面はガラス器や陶器等の食器類の汚れ取り用に、繊維クズが出にくい麻や化繊の生地等で形成されて、この両面が表裏をなしているため、必要に応じて１枚状の布を裏返すだけで、「水気を拭く用」と「磨く用」に兼用できる。尚、内接されたベルト状の芯材は、表面の生地材と裏面の生地材との間に内接されているため、どちらの面を使用した場合も、表裏をクルッとひっくり返すだけで、細くて深さがあり底まで手が届きにくい容器も簡単に磨くことができる。
（ニ）使用後は頭頂部に付属した輪を利用して吊し掛けておくが、ふきんの鐘体部は裾部の手前から急に裾広がりのフリル状に大きく裾が広がっているため、空気の通りがよく乾きやすい。
（ホ）また、野菜や果物を拭く場合は鐘体部にそれらを入れ、優しく包み込むように生地を押し当てるだけで、水気は簡単に吸水性に富んだ生地に吸収される。
【図面の簡単な説明】
【０００７】
【図１】本発明の斜視図
【図２】本発明の一部であって、内接されて見えない形で構造化されているベルト芯材を、見える状態で示したイメージ斜視図
【図３】本発明における表面の使用状態を示すイメージ斜視図
【図４】本発明における裏面の使用状態を示すイメージ斜視図
【図５】本発明を用いて、細長く深さのあるコップを拭いている状態を示すイメージ斜視図
【図６】本発明を用いて、野菜を鐘体部にいれて拭いている状態を示すイメージ斜視図
【図７】本発明を使用した後、乾かすために輪を使って吊り下げている状態を示すイメージ斜視図
【発明を実施するための形態】
【０００８】  以下、本発明の実施の形態を説明する。
ふきんとなる部分をベル型に裁断し、二枚重ねにしてそれをつなぎ合わせ、深い帽子様の立体的な袋状を形成する。
ベル型鐘体部（２）において、頭頂部（６）から裾部のバイアス状縁（７）まで、対向的な二方向に、数センチ幅のベルト状の芯材（５）を内設する。
ベル型鐘体部（２）は、表面（３）が水気を拭き取るための吸水性に富んだ綿等の生地材で形成され、裏面（４）はガラス器や陶器等の食器類の汚れ取り用に、繊維クズが出にくい麻や化繊等の生地材で形成され、この両面が表裏をなして、用途に応じて交互に裏返して使用できる。
また、ベル型鐘体部（２）はあたかもベルのように、頭頂部（６）からバイアス状縁の裾部（７）の少し手前までは、略垂直状になって絞られた形状をなし、裾部の手前から急に裾広がりのフリル状に形成される。頭頂部（６）には吊り下げ用の輪（１）を設ける。
本発明は以上のような構造である。
本発明の使用方法は、食器の水気を取るときは、水気を拭き取るための吸水性に富んだ綿等の生地材の表面（３）を外側にし、袋状のベル型鐘体部（２）の中に片手をいれて濡れている食器を拭く。拭いている面が濡れたらベル型鐘体部（２）に入っている手を少し回すと自動的に乾いた面がでてくる。
コップや水筒など細くて深さがあり底まで手が届きにくいものを拭く場合は、頭頂部（６）からバイアス状縁の裾部（７）まで内接されている芯材（５）を持ち、芯材（５）を細長い容器の内側の側面に沿って底まで軽く差し込むだけで、わざわざ容器の中まで手を入れなくても拭くことができる。
グラスを磨く場合は、ガラス器や陶器等の食器類の汚れ取り用に、繊維クズが出にくい麻や化繊等の生地材でできた裏面（４）を外側に出して、鐘体部（２）に手をいれて使用する。また、細くて深さがあり底まで手が届きにくい容器を磨く場合は、頭頂部（６）からバイアス状縁の裾部（７）まで内接されている芯材（５）を持ち、芯材（５）を細長い容器の内側の側面に沿って底まで軽く差し込むだけで、わざわざ容器の中まで手を入れなくても磨くことができる。
また野菜や果物を拭く場合は、ベル型鐘体部（２）の袋状の内部にそれらを入れて、生地材を優しく押し当てるようにすれば、水気はたちまち吸収性に富む生地に吸収され簡単に拭くことができる。
使用後は頭頂部（６）に設けた吊り下げ用の輪（１）を利用して、掛けて乾かす。
【符号の説明】
【０００９】  １吊り下げ用の輪
２ベル型鐘体部
３表面
４裏面
５芯材
６頭頂部
７バイアス状縁の袖部
【要約】
【課題】食器を拭くのに従来のふきんだと、手で掴んで拭くため、乾いた面を出すのに手間取ったり、深さのある容器は布をその中に押し込んで拭くため、速く効率よく拭けなかった。また、グラスを磨く繊維は吸水性を重点とするふきんと性質を異とする為、別に用意するので面倒であった。本発明は、以上の問題点を解決するふきんを提供する。
【解決手段】ベル型袋状の中に片手をいれて使用し、手首を軽く回すだけで乾いた面を随時使用でき、ふきんに芯材をベルト状に内接させ、細くて深さのある容器を拭きやすくし、吸水性に富んだ生地でできた面と、繊維クズがでにくい生地でてきた磨き面とを表裏にすることによって、必要に応じて裏返して「拭く」と「磨く」の使い分けができ、また、大きく裾広がりの縁で空気を取り込んで乾きやすくしたことを特徴とする、細くて深い食器等も簡単に拭いたり磨いたりできるふきん。
【選択図】図１【図１】
0005567720.tif 000002
【図２】
0005567720.tif 000003
【図３】
0005567720.tif 000004
【図４】
0005567720.tif 000005
【図５】
0005567720.tif 000006
【図６】
0005567720.tif 000007
【図７】
0005567720.tif 000008